(57)【特許請求の範囲】
【請求項１】
床暖房パネル本体の表面にサーモスタット収納凹部を複数個適宜間隔をあけて一列に設け、サーモスタット収納凹部を連結する凹条溝を設け、サーモスタットを収納したサーモスタット収納凹部に充填剤を充填し、床暖房パネル本体の表面に表面材を積層して成ることを特徴とする床暖房パネル。
【請求項２】
凹条溝をサーモスタット収納凹部よりも浅くしたことを特徴とする請求項１記載の床暖房パネル。
【発明の詳細な説明】
【０００１】
【発明の属する技術分野】
本発明は、床暖房パネルに関するものである。
【０００２】
【従来の技術】
従来から床暖房パネル本体の表面にヒータ線を収納して配線するヒータ線用凹部と、複数のサーモスタット収納凹部と、サーモスタット収納凹部同士乃至サーモスタット収納凹部とヒータ線用凹部を連通するリード線用凹部とを形成し、複数のサーモスタットを接続したリード線をヒータ線に直列に接続し、ヒータ線をヒータ線用凹部に収納配線し、また、リード線用凹部にリード線を収納配線すると共に複数のサーモスタット収納凹部にサーモスタットをそれぞれ収納し、更にサーモスタットの固定及び床暖房パネル本体の強度保持のためにサーモスタット収納凹部に発泡ウレタン（例えば発泡倍率１４倍）のような充填剤を充填し、その後、裏面にアルミ箔を接着した表面材を床暖房パネル本体の表面に貼着して積層することで床暖房パネルを構成していた。
【０００３】
ところが、サーモスタットの固定及び床暖房パネル本体の強度保持のためにサーモスタット収納凹部に発泡ウレタンのような充填剤を充填するので、裏面にアルミ箔を接着した表面材を床暖房パネル本体の表面に貼着して積層する時、サーモスタット収納凹部に充填した充填剤の余剰部分がサーモスタット収納凹部から床暖房パネル本体の表面にはみ出して広がり、裏面にアルミ箔を接着した表面材と床暖房パネル本体との接着に悪影響を及ぼし、目的とする接着強度が得られないという問題が生じる。
【０００４】
【発明が解決しようとする課題】
本発明は上記の点に鑑みてなされたものであり、床暖房パネル本体の表面に表面材を積層するものにおいて、サーモスタットの固定及び床暖房パネル本体の強度保持のためにサーモスタット収納凹部に充填した充填剤の余剰部分が床暖房パネル本体の表面にはみ出して所定の接着強度が得られないというような事態を回避できて、所定の接着強度を発揮でき、また、凹条溝を設けてもできるだけ床暖房パネル本体の強度低下が生じないようにできる床暖房パネルを提供することを課題とするものである。
【０００５】
【課題を解決するための手段】
上記課題を解決するために本発明に係る床暖房パネルは、床暖房パネル本体１の表面にサーモスタット収納凹部２を複数個適宜間隔をあけて一列に設け、サーモスタット収納凹部２を連結する凹条溝３を設け、サーモスタット４を収納したサーモスタット収納凹部２に充填剤５を充填し、床暖房パネル本体１の表面に表面材６を積層して成ることを特徴とするものである。このような構成とすることで、床暖房パネル本体１に表面材６を接着積層しても、サーモスタット４の固定及び床暖房パネル本体１の強度保持のためにサーモスタット収納凹部２に充填した充填剤５の過剰部分が床暖房パネル本体１の表面にはみ出すことなく凹条溝３側に流れ、これにより表面材６の床暖房パネル本体１への接着強度が低下しないようにできるものである。
【０００６】
また、凹条溝３をサーモスタット収納凹部２よりも浅くすることが好ましい。このような構成とすることで、サーモスタット収納凹部２に充填した充填剤５の過剰部分を流す凹条溝３を設けたにも係わらず、床暖房パネル本体１の強度低下ができるだけ生じないようにできるものである。
【０００７】
【発明の実施の形態】
以下、本発明を添付図面に示す実施形態に基づいて説明する。
【０００８】
床暖房パネル本体１は強化ロックウールボードのような板材で構成してあり、図２乃至図６に示すように、上面部にヒータ線７を収納して配線するための複数のヒータ線用凹部８と、ヒータ線用凹部８同士を接続する連通用凹部１０と、サーモスタット４を収納するための複数のサーモスタット収納凹部２と、サーモスタット収納凹部２同士乃至サーモスタット収納凹部２とヒータ線用凹部８を連通するためのリード線用凹部９と、サーモスタット収納凹部２を連結する凹条溝３とが形成してあり、更に、連通用凹部１０の一つに接続する電源用コネクタ１２を収納するためのコネクタ収納凹部１１、電源線用凹部１３が形成してある。
【０００９】
ここで、ヒータ線７を収納するためのヒータ線用凹部８は床暖房パネル本体１の表面部のほぼ全面に複数形成され、また、サーモスタット４を収納するためのサーモスタット収納凹部２は床暖房パネル本体１の短辺方向の略中央部において長辺方向の複数箇所に所定間隔をあけて一列に設けてある。サーモスタット収納凹部２のサイズは特に限定はないが一例を挙げれば巾が約２５ｍｍ、長さが約１６０ｍｍ、深さが約６．６５ｍｍ程度である。また、ヒータ線用凹部８及びリード線用凹部９は共に巾が約２．５ｍｍ、深さが約３．１ｍｍ程度である。また、一列に並んだサーモスタット収納凹部２間を連通接続する凹条溝３は図４乃至図６に示すように、サーモスタット収納凹部２よりも巾、深さとも短く、また、ヒータ線用凹部８及びリード線用凹部９よりも巾、深さとも長いものであり、例えば、凹条溝３の巾が約１０ｍｍ、深さが約５ｍｍ程度である。上記のように、凹条溝３をヒータ線用凹部８及びリード線用凹部９よりも巾、深さとも長くすることで、サーモスタット収納凹部２に後述のように充填剤５を充填した場合における過剰に充填した充填剤５が十分流れ込むことができるようにしてあり、また、凹条溝３をサーモスタット収納凹部２よりも巾、深さとも短くすることで、サーモスタット収納凹部２に充填した充填剤５の過剰部分を流す凹条溝３を設けたにも係わらず、床暖房パネル本体１の強度低下ができるだけ生じないようにしている。
【００１０】
電源用コネクタ１２に接続されるコネクタ１５に２本のリード線１４が接続してあり、１本のリード線１４の途中に複数のサーモスタット４が直列に接続してあり、このリード線１４の他端にヒータ線７の一端部が直列に接続してあり、ヒータ線１４の他端部に上記コネクタ１５に接続された２本のリード線１４のうちの他の１本が接続してある。
【００１１】
そして、ヒータ線７をヒータ線用凹部８に嵌め込んで配線するのであるが、ここで、ヒータ線７は連通用凹部１０において曲げて方向転換することで、全体として蛇行するように配線する。２本のリード線１４はコネクタ収納凹部１１に隣接して連通する連通用凹部１０内に配線され、このうちの１本は例えばこの部分でヒータ線７の他端と接続され、他の１本であるサーモスタット４を接続した方のリード線１４はヒータ線用凹部８内とこれに連通するサーモスタット収納凹部２内に配線され、また、複数のサーモスタット４がそれぞれ所定間隔を離して形成した上記サーモスタット収納凹部２内に収納配置される。図７にリード線１４とサーモスタット４とのヒータ線用凹部８及びサーモスタット収納凹部２内への配線及び収納状態を示す説明図が示してある。
【００１２】
上記のようにリード線１４、ヒータ線７、サーモスタット４の配線及び収納配置をした状態で、サーモスタット４の固定及び床暖房パネル本体１の強度保持のため（つまりサーモスタット収納凹部２は凹部の深さや巾が大きくて強度が低下するのでこれを補強するため）にサーモスタット収納凹部２に充填剤５を充填する。ここで使用する充填剤５としては例えば発泡倍率１４倍の発泡ウレタンを使用することができる。この場合、サーモスタット収納凹部２間を連通接続する凹条溝３部分にも充填剤５を充填してもよいが、凹条溝３はサーモスタット収納凹部２に充填した過剰の充填剤５を逃がすためのものであるから、凹条溝３への充填剤５の充填は凹条溝３内にいっぱいに充填されないように少な目に行う。
【００１３】
一方、表面材６の裏面にホットメルト接着剤によりアルミ箔１６を接着し、更に、裏面側であるアルミ箔１６にロールコータで水性ビニルウレタン系の接着剤を塗布し、上記のリード線１４、ヒータ線７、サーモスタット４を配線及び収納配置すると共にサーモスタット収納凹部２に充填剤５を充填した床暖房パネル本体１の表面に、アルミ箔１６側を接着した表面材６をアルミ箔１６側を下にして図１、図７乃至図１０に示すように接着積層するものである。この場合、サーモスタット４の固定及び床暖房パネル本体１の強度保持のためにサーモスタット収納凹部２に充填した充填剤５の過剰部分が床暖房パネル本体１の表面にはみ出すことなく凹条溝３側に流れ、これにより表面材６の床暖房パネル本体１への接着強度が低下しないようにできるものである。ここで、上記充填剤５である発泡ウレタンの発泡倍率を小さく（例えば１４倍未満）にすることで、充填剤５である発泡ウレタンの広がりが小さくなり、より好ましいものである。
【００１４】
なお、本発明の床暖房パネルは、現場において敷設するのであるが、この場合、電源線用凹部１３に電源線（図示せず）を通し、電源用コネクタ１２を収納するためのコネクタ収納凹部１１に収納した電源用コネクタ１２に電源線を接続するものである。
【００１５】
そして、床暖房パネルの表面の一部に物を置いたりして熱がこもり、その部分が高温となった場合、高温になった箇所に近いサーモスタット４の働きで給電が停止され、異常加熱になるのを防止するようになっている。
【００１６】
なお、床暖房パネルは複数枚敷設してコントローラにより設定した温度に制御するようになっているが、上記複数の床暖房パネルのうちの一つの床暖房パネルに温度検知センサ（図示せず）を設け、温度検知センサの温度検知の情報に基づきコントローラで設定した温度に制御するようになっている。
【００１７】
【発明の効果】
上記のように本発明の請求項１記載の発明にあっては、床暖房パネル本体の表面にサーモスタット収納凹部を複数個適宜間隔をあけて一列に設け、サーモスタット収納凹部を連結する凹条溝を設け、サーモスタットを収納したサーモスタット収納凹部に充填剤を充填し、床暖房パネル本体の表面に表面材を積層してあるので、サーモスタットにより床暖房パネルが異常加熱しないようにできるのはもちろんのこと、床暖房パネル本体に表面材を接着積層しても、サーモスタットの固定及び床暖房パネル本体の強度保持のためにサーモスタット収納凹部に充填した充填剤の過剰部分が床暖房パネル本体の表面にはみ出すことなく凹条溝側に流れ、これにより表面材の床暖房パネル本体への接着強度が低下しないようにできるものである。
【００１８】
また、請求項２記載の発明にあっては、上記請求項１記載の発明の効果に加えて、凹条溝をサーモスタット収納凹部よりも浅くしてあるので、サーモスタット収納凹部に充填した充填剤の過剰部分を流す凹条溝を設けたにも係わらず、床暖房パネル本体の強度低下ができるだけ生じないようにできるものである。
【図面の簡単な説明】
【図１】本発明の一実施形態の一部破断した要部拡大平面図である。
【図２】同上の床暖房パネル本体の平面図である。
【図３】同上の要部拡大平面図である。
【図４】図２のＸ−Ｘ線の拡大断面図である。
【図５】図２のＹ−Ｙ線の拡大断面図である。
【図６】図２のＺ−Ｚ線の拡大断面図である。
【図７】同上のリード線とサーモスタットとのヒータ線用凹部及びサーモスタット収納凹部内への配線及び収納状態を示す説明図である。
【図８】図４に対応する箇所の床暖房パネルの断面図である。
【図９】図５に対応する箇所の床暖房パネルの断面図である。
【図１０】図６に対応する箇所の床暖房パネルの断面図である。
【符号の説明】
１  床暖房パネル本体
２  サーモスタット収納凹部
３  凹条溝
４  サーモスタット
５  充填剤
６  表面材
【図１】
0004174911.tif 000002
【図２】
0004174911.tif 000003
【図３】
0004174911.tif 000004
【図４】
0004174911.tif 000005
【図５】
0004174911.tif 000006
【図６】
0004174911.tif 000007
【図７】
0004174911.tif 000008
【図８】
0004174911.tif 000009
【図９】
0004174911.tif 000010
【図１０】
0004174911.tif 000011